(57)【要約】【課題】作業者が、照明器具の点検、保全作業等を容易に、且つ安全に行うことができる照明器具を提供することにある。【解決手段】ポールの上方に取り付けられる照明器具１００であって、光源１１が収納される光源収納部１２と、ポールに取付可能なポール取付部１３とが設けられた器具本体部１０と、ポール取付部１３の上方を覆う位置に配置され、器具本体部１０に対し、ヒンジ部２１により開閉可能に連結された蓋体部２０と、蓋体部２０を、ポール取付部１３の上方を開放する全開位置で開いた状態に保持すると共に、蓋体部２０を、全開位置で開いた状態と比して、小さく開いた状態に保持することができるストッパ部材３０と、を有する。【選択図】図２
2019067489.tif 000002
【特許請求の範囲】
【請求項１】
ポールの上方に取り付けられる照明器具であって、
光源が収納される光源収納部と、前記ポールに取付可能なポール取付部とが設けられた器具本体部と、
前記ポール取付部の上方を覆う位置に配置され、前記器具本体部に対し、ヒンジ部により開閉可能に連結された蓋体部と、
前記蓋体部を、前記ポール取付部の上方を開放する全開位置で開いた状態に保持すると共に、前記蓋体部を、前記全開位置で開いた状態と比して、小さく開いた状態に保持することができるストッパ部材と、
を有することを特徴とする照明器具。
【請求項２】
前記ストッパ部材は、
前記蓋体部に連結されたガイド棒と、前記ガイド棒の一端が係合するガイド案内孔が形成されたガイド部材とを有し、
前記ガイド案内孔は、直線状に形成された直線部と、前記直線部の一端部が屈曲して形成された屈曲部と、前記直線部の他端部が２つに枝分かれして、下方側へ傾斜した凹部と、上方側へ傾斜し、前記凹部より凹部深さが長い長凹部とを備え、
前記ガイド棒に形成された係合部は、前記蓋体部の開閉に伴って前記ガイド案内孔を摺動自在に移動し、
前記係合部が、前記屈曲部に係合することにより、前記蓋体部が全開位置で開いた状態に保持される一方、
前記係合部が、前記凹部に係合することにより、前記蓋体部が、前記全開位置で開いた状態より小さく開いた状態に保持されることを特徴とする請求項１に記載の照明器具。
【請求項３】
前記係合部が、前記凹部に係合した状態から、前記直線部へ移動させた後、前記長凹部へ移動されることにより、前記蓋体部が閉じた状態となることを特徴とする請求項２に記載の照明器具。
【請求項４】
ポールの上方に取り付けられる照明器具であって、
光源が収納される光源収納部と、前記ポールに取付可能なポール取付部とが設けられた器具本体部と、
前記ポール取付部の上方を覆う位置に配置され、前記器具本体部の上面部に配置されたヒンジ部により前記器具本体部の後端部を開閉可能に連結された蓋体部と、
前記器具本体部に、前記蓋体部との境界に沿った形状に形成された水路と、
前記器具本体部の後端部に、前記水路と連通する傾斜面と、を有し、
前記傾斜面が、前記器具本体部の下方、且つ両外側に向けて傾斜していることを特徴とする照明器具。
【請求項５】
前記傾斜面は、前記器具本体部の下方側に拡径していることを特徴とする請求項４に記載の照明器具。
【請求項６】
前記器具本体部は、前記水路の両側に防水壁が形成されていることを特徴とする請求項４、又は５に記載の照明器具。
【発明の詳細な説明】
【技術分野】
【０００１】
本発明は、街路灯や道路灯として用いられる照明器具に関する。
【背景技術】
【０００２】
従来から、街路灯や道路灯は、ポールの上方へ照明器具が取付けられており、道路を照らしている。これらの照明器具は、蓋体部を器具本体部に対して、ヒンジ部により開閉可能とし、蓋体部を器具本体部に対して開いた状態で、照明器具のメンテナンスや、ポールへの照明器具の取付作業が行われている。
【０００３】
このように、蓋体部を器具本体部に対して開いた状態でメンテナンス等の作業をする場合、作業中に蓋体部が閉じないように、蓋体部を開いた状態で保持するストッパ構造を備えた照明器具は、例えば、特許文献１、２に開示されている。
【０００４】
例えば、特許文献１に開示された照明器具に係るストッパは、所定の操作により蓋体部を開いた状態で保持するものである。そして、蓋体部が開いた状態から閉じる場合、作業者によってストッパを蓋体部から外すことにより、蓋体部が器具本体部側に回転し、蓋体部と器具本体部を閉じた状態にすることができる。
【０００５】
また、特許文献２に開示された照明器具のストッパは、所定の操作により蓋体部が器具本体部に対して開いた状態で保持する。具体的には、当該ストッパは、蓋体部を開いた状態にロックすることができる構成となっている。すなわち、当該ロックを外さないかぎり、蓋体部が自重によって閉じることはない。メンテナンス等の作業終了後、作業者が当該ストッパのロックを外し、蓋体部を器具本体部側に回動させることによって、蓋体部と器具本体部を閉じた状態にすることができる。
【０００６】
さらに、街路灯や道路灯に用いられる照明器具は、屋外に設置されることから、長期間に渡って風雨にさらされる。そして、雨天時は、雨水等が照明器具の内部に浸入し、雨水が当該照明器具の内部に残留すると、当該照明器具の内部の各部、例えば照明器具を支えるポールとの取付部が腐食する不具合が見られていた。そこで、特許文献３に開示された照明器具は、蓋体部の端縁と照明器具本体の端縁とが嵌合する構成とし、雨水による照明器具内部への浸入を防止していた。
【先行技術文献】
【特許文献】
【０００７】
【特許文献１】特開２０００−３２２９０３号公報
【特許文献２】特開２００９−５４５００号公報
【特許文献３】特開２０１４−１３２５９３号公報
【発明の概要】
【発明が解決しようとする課題】
【０００８】
しかしながら、特許文献１に開示された照明器具は、蓋体部を器具本体部に対して開いた状態から作業者がストッパを操作し、蓋体部を器具本体部側に回転させ、蓋体部を器具本体部に対して閉じた状態にしようとする際、蓋体部が途中で一旦停止することなく、閉じた状態となるため、作業者は、蓋体部と器具本体部との間に、指を挟まないように慎重に蓋体部の開閉作業をする必要があった。
【０００９】
また、特許文献２に開示された照明器具は、蓋体部を開いた状態で、作業者はロックしたストッパを外した場合、途中で一旦停止することなく、蓋体部が閉じた状態となるため、作業者は、蓋体部と器具本体部との間に、指を挟まないように注意しながら蓋体部の開閉作業を行う必要があった。特に、街路灯や道路灯に用いられる照明器具はポールに取り付けられており、高所での作業が求められることから、精神的な負担が大きかった。
【００１０】
さらに、街路灯や道路灯に用いられる照明器具は、道路や交差点の状況に応じて、設置箇所や設置数が規定されている。また、道路照明を支持するポールの形状も、ポールの上方が直線状のポールヘッド型ポール、上方が円弧状、若しくは直角状のアーム取付型ポールがあり、道路照明をポールに固定する場合、ポールに取り付ける箇所の形状をポールの形状に合わせる必要がある。
【００１１】
例えば、特許文献３に開示された照明器具のように、蓋体部を開閉可能とするヒンジ部が照明器具の後端部に設けられる構造とした場合、ポールヘッド型ポールに固定する場合は、照明器具の下面側から当該ポールを挿入し、固定する構造となる。一方、アーム取付型ポールに固定する場合、蓋体部を開閉可能とするヒンジ部が設けられている照明器具の後端部から当該ポールを挿入し、固定する構造となることから、蓋体部と照明器具本体部とに挟まれた箇所で、クランプ部にポールを固定する作業を行うため、当該作業効率が低下する。
【００１２】
本発明は、上記課題に鑑みて、作業者が、照明器具の点検、保全作業等を、容易に、且つ安全に行うことができる照明器具を提供することにある。
また、ポールに対する取付作業が良好な構造であって、風雨にさらされる屋外に設置されたとしても、照明器具内部の腐食を抑制することができる照明器具を提供することにある。
【課題を解決するための手段】
【００１３】
上記課題を解決するためになされた本発明の照明器具は、ポールの上方に取り付けられる照明器具であって、光源が収容される光源収容部と、前記ポールに取付可能なポール取付部とが設けられた器具本体部と、前記ポール取付部の上方を覆う位置に配置され、前記器具本体部に対し、ヒンジ部により開閉可能に連結された蓋体部と、前記蓋体部を、前記ポール取付部の上方を開放する全開位置で開いた状態に保持すると共に、前記蓋体部を、前記全開位置で開いた状態と比して、小さく開いた状態に保持することができるストッパ部材と、を有することを特徴とする。
この構成により、作業者が、照明器具の点検、保全作業等を容易に、且つ安全に行うことができる。
【００１４】
また、本発明に係る照明器具は、前記ストッパ部材は、前記蓋体部に連結されたガイド棒と、前記ガイド棒の一端が係合するガイド案内孔が形成されたガイド部材とを有し、前記ガイド案内孔は、直線状に形成された直線部と、前記直線部の一端部が屈曲して形成された屈曲部と、前記直線部の他端部が２つに枝分かれして、下方側へ傾斜した凹部と、上方側へ傾斜し、前記凹部より凹部深さが長い長凹部とを備え、前記ガイド棒に形成された係合部は、前記蓋体部の開閉に伴って前記ガイド案内孔を摺動自在に移動し、前記係合部が、前記屈曲部に係合することにより、前記蓋体部が全開位置で開いた状態に保持される一方、前記係合部が、前記凹部に係合することにより、前記蓋体部が、前記全開位置で開いた状態より小さく開いた状態に保持されることを特徴とする。
この構成により、作業者が、照明器具の点検、保全作業等を容易に、且つ安全に行うことができる。
【００１５】
また、本発明に係る照明器具は、前記係合部が前記凹部に係合した状態から、前記直線部へ移動させた後、前記長凹部へ移動されることにより、前記蓋体部が閉じた状態となることを特徴とする。
この構成により、作業者が、照明器具の点検、保全作業を容易に、且つ安全に行うことができる。
【００１６】
また、本発明に係る照明器具は、ポールの上方に取り付けられる照明器具であって、
光源が収納される光源収納部と、前記ポールに取付可能なポール取付部とが設けられた器具本体部と、前記ポール取付部の上方を覆う位置に配置され、前記器具本体部の上面部に配置されたヒンジ部により前記器具本体部の後端部を開閉可能に連結された蓋体部と、前記器具本体部に、前記蓋体部との境界に沿った形状に形成された水路と、前記器具本体部の後端部に、前記水路と連通する傾斜面と、を有し、前記傾斜面が、前記器具本体部の下方、且つ両外側に向けて傾斜していることを特徴とする。
この構成により、ポールに対する取付作業が良好な構造であって、風雨にさらされる屋外に設置されたとしても、雨水が照明器具内部に浸入したとしても、照明器具内部に雨水を停滞させない構造であることから、照明器具内部の腐食を抑制することができる。
【００１７】
また、本発明に係る照明器具は、前記傾斜面は、前記器具本体部の下方側に拡径していることを特徴とする。
この構成より、ポールに対する取付作業が良好な構造であって、風雨にさらされる屋外に設置されたとしても、雨水が照明器具内部に浸入したとしても、照明器具内部に雨水を停滞させない構造であることから、照明器具内部の腐食を抑制することができる。
【００１８】
また、本発明に係る照明器具は、前記器具本体部は、前記水路の両側に防水壁が形成されていることを特徴とする。
この構成により、ポールに対する取付作業が良好な構造であって、風雨にさらされる屋外に設置されたとしても、雨水が照明器具内部に浸入したとしても、照明器具内部に雨水を停滞させない構造であることから、照明器具内部の腐食を抑制することができる。
【発明の効果】
【００１９】
本発明の照明器具は、作業者が、照明器具の点検、保全作業を容易に、且つ安全に行うことができる。
また、本発明の照明器具は、ポールに対する取付作業が良好な構造であって、風雨にさらされる屋外に設置されたとしても、雨水が照明器具内部に浸入したとしても、照明器具内部に雨水を停滞させない構造であることから、照明器具内部の腐食を抑制することができる。ポールに対する取付作業が良好な構造であって、風雨にさらされる屋外に設置されたとしても、雨水が照明器具内部に浸入したとしても、照明器具内部に雨水を停滞させない構造であることから、照明器具内部の腐食を抑制することができる。
【図面の簡単な説明】
【００２０】
【図１】本発明に係る実施形態の照明器具を下から見た全体斜視図である。
【図２】本発明に係る実施形態の照明器具の蓋体部が全開位置で開いた状態を示す全体斜視図である。
【図３】本発明に係る実施形態の照明器具の蓋体部が閉じた状態を示す全体斜視図である。
【図４】本発明に係る実施形態の照明器具の蓋体部が全開位置で開いた状態より小さく開いた状態を示す全体斜視図である。
【図５】本発明に係る実施形態の照明器具の蓋体部が閉じた状態を示す断面図である。
【図６】本発明に係る実施形態の照明器具の蓋体部が全開位置で開いた状態を示す断面図である。
【図７】本発明に係る実施形態の照明器具の蓋体部が全開位置で開いた状態より小さく開いた状態を示す断面図である。
【図８】（ａ）〜（ｃ）は、本発明に係る実施形態の照明器具のストッパ部の各状態を示す拡大説明図である。
【図９】本発明に係る実施形態の照明器具の蓋体部等を取り除いた説明図である。
【図１０】（ａ）は本発明に係る実施形態の照明器具の蓋体部等を削除した平面図であり、（ｂ）は本発明に係る実施形態の照明器具の蓋体部等を削除した一部断面図である。
【図１１】本発明に係る実施形態の照明器具の変形例の蓋体部が閉じた状態を示す全体斜視図である。
【図１２】本発明に係る実施形態の照明器具の変形例の蓋体部が全開位置で開いた状態を示す全体斜視図である。
【発明を実施するための最良の形態】
【００２１】
以下、本発明に係る実施形態の照明器具を図１〜３に基づいて説明する。図１は、本発明に係る実施形態の照明器具を下から見た全体斜視図である。また、図２は、本発明に係る実施形態の照明器具の蓋体部が開いた状態を示す全体斜視図である。さらに、図３は、本発明に係る実施形態の照明器具を上から見た全体斜視図である。
【００２２】
照明器具１００は、交差点や道路脇に設けられたポール１の上方に取り付けられる照明器具であって、例えば街路灯や道路灯に用いられる照明器具である。
【００２３】
照明器具１００は、光源１１が収容される光源収容部１２と、ポール１に取付可能なポール取付部１３とが設けられた器具本体部１０と、ポール取付部１３の上方を覆う位置に配置され、器具本体部１０に対し、ヒンジ部２１により開閉可能に連結された蓋体部２０と、蓋体部２０を、ポール取付部１３の上方を開放する全開位置で開いた状態に保持すると共に、蓋体部２０を、全開位置で開いた状態より小さく開いた状態に保持することができるストッパ部材３０とを有する。なお、ポール１は、その内部に照明器具１００の光源１１の点灯を制御するドライバユニット（図示しない）が収容されている。当該ドライバユニットは、光源１１と電源ケーブル（図示しない）により電気的に接続される。また、当該ドライバユニットは、電源部（図示しない）に接続された電源ケーブル（図示しない）に接続され、当該電源部から電力が供給されている。
【００２４】
器具本体部１０は、光源収容部１２とポール取付部１３とを仕切る隔壁１５が設けられている。隔壁１５には、防水構造の配線用端子部１６が設けられており、配線用端子部１６を介して、光源収容部１２とポール取付部１３とが電気的に配線されている。具体的には、配線用端子部１６は、その一端部が光源収容部１２側の領域に配置され、他端部がポール取付部１３側の領域に配置されている。さらに、配線用端子部１６は、一端部、及び他端部のそれぞれに接続端子が設けられ、両接続端子は電気的に接続されている。
【００２５】
光源収容部１２は、光源１１として、ＬＥＤユニットが収容される。光源１１としては、ＬＥＤユニットではなく、電球や、蛍光灯であってもよい。また、光源収容部１２の下面側に、光源１１から照射された光を透光する透明な透光板１４（図５〜７を参照）が嵌め込まれた投光開口部１２ａが形成されている。光源１１から照射された光は、透光板１４を透過して、路面を照射する。なお、透光板１４は、強化樹脂や強化ガラスから形成されており、透光開口部１２ａに嵌め込まれた構造から光源収容部１２内部への雨水の浸入や異物の混入を防止すると共に、照明器具１００の点検、保全作業を行う作業者が、各作業中に、直接光源１１に触れて作業者の火傷、負傷、または光源１１を構成する、例えばＬＥＤが破損、劣化することを回避することができる。
【００２６】
なお、光源１１は、配線ケーブル（図示しない）により、配線用端子部１６の接続端子と電気的に接続されている。また、ポール１の内部に収容されたドライバユニットが、配線ケーブル（図示しない）により、配線用端子部１６の接続端子と電気的に接続されている。すなわち、光源１１とポール１の内部に収容されたドライバユニットとは、配線用端子部１６を介し、電気的に接続される。
【００２７】
ポール取付部１３は、ポール１の上方に取付可能なクランプであって、その内径寸法が、ポール１の外形寸法より僅かに大きい寸法で形成された、中空筒状に形成される。具体的には、ポール１の上端がポール取付部１３内に挿通され、ボルト等の締結具により締結されることによって、照明器具１００をポール１に固定することができる。
【００２８】
蓋体部２０は、図２に示すように、ポール取付部１３の上方を覆う位置に配置され、器具本体部１０に対し、ヒンジ部２１により開閉可能に連結されている。
【００２９】
また、蓋体部２０は、図３に示すように、器具本体部１０の上面部１０ａに配置されたヒンジ部２１により器具本体部１０の後端部１０ｂを開閉可能に連結された構成としてもよい。ポール取付部１３におけるポール１への取付作業の際、図２に示すように蓋体部２０が全開位置で開いた状態とすることができ、ポール取付部１３の周囲に、当該取付作業の妨げになるものが存在せず、当該取付作業の効率性が向上する。
【００３０】
さらに、蓋体部２０は、後述するストッパ部材３０により、図２〜４に示す各状態に保持される。例えば、図２は蓋体部２０が全開位置で開いた状態を示し、図３は蓋体部２０が閉じた状態を示し、図４は蓋体部２０が全開位置で開いた状態より小さく開いた状態を示している（以下、蓋体部２０が全開位置で開いた状態より小さく開いた状態を、半開位置で開いた状態という。）。
【００３１】
ストッパ部材３０は、図５〜７に示すように、蓋体部２０に連結されたガイド棒３１と、ガイド棒３１の一端が係合するガイド案内孔３２が形成されたガイド部材３３とを有する。ガイド案内孔３２は、直線状に形成された直線部３２ａと、直線部３２ａの一端部が屈曲して形成された屈曲部３２ｂと、直線部３２ａの他端部が２つに枝分かれして、下方側へ傾斜した凹部３２ｃと、上方側へ傾斜し、凹部３２ｃより凹部深さが長い長凹部３２ｄとを備える。さらに、ガイド棒３１に形成された係合部３１ａは、蓋体部２０の開閉に伴ってガイド案内孔３２を摺動自在に移動し、係合部３１ａが、屈曲部３２ｂに係合することにより、蓋体部２０が全開位置で開いた状態に保持される一方、係合部３１ａが、凹部３２ｃに係合することにより、蓋体部２０が、半開状態で開いた状態に保持される。
【００３２】
ガイド棒３１は、その一端に係合部３１ａが形成されている一方、その他端は蓋体部２０と回動自在に連結されている。係合部３１ａは、ガイド部材３３に形成されたガイド案内孔３２に係合し、蓋体部２０の開閉挙動に伴ってガイド案内孔３２内部を摺動自在に移動する。
【００３３】
ガイド部材３３は、器具本体部１０の隔壁１５に、例えばネジ等の固定具により固定され、その内部には図５〜７に示されたガイド案内孔３２が形成されている。
【００３４】
ガイド案内孔３２は、直線状に形成された直線部３２ａと、直線部３２ａの一端部が屈曲して形成された屈曲部３２ｂと、直線部３２ａの他端部が２つに枝分かれして、下方側へ傾斜した凹部３２ｃと、上方側へ傾斜し、凹部３２ｃより凹部深さが長い長凹部３２ｄとから形成されている。
【００３５】
このような構成からなるストッパ部材３０は、蓋体部２０を以下に説明する状態に保持することができる。
【００３６】
具体的には、ガイド棒３１の係合部３１ａが、図５に示すようにガイド案内孔３２に形成された長凹部３２ｄと係合した場合（図８（ａ）を参照）、蓋体部２０は、器具本体部１０に対して、閉じた状態となる。
【００３７】
また、ガイド棒３１の係合部３１ａが、ガイド案内孔３２の直線部３２ａを通過し、図６に示すようにガイド案内孔３２に形成された屈曲部３２ｂに係合した場合（図８（ｂ）を参照）、蓋体部２０は、器具本体部１０に対して、全開位置で開いた状態となる。
【００３８】
さらに、ガイド棒３１の係合部３１ａが、屈曲部３２ｂから直線部３２ａを通過し、図７に示すようにガイド案内孔３２に形成された凹部３２ｃに係合した場合（図８（ｃ）を参照）、蓋体部２０は、器具本体部１０に対して、半開位置で開いた状態となる。ここで、凹部３２ｃは、直線部３２ａから枝分かれして、下方側に傾斜していることから、ガイド棒３１の係合部３１ａは、蓋体部２０の自重により、直線部３２ａから凹部３２ｃへと摺動することになる。すなわち、蓋体部２０が、図６に示す全開位置で開いた状態から、一旦停止することなく、図５に示す閉じた状態へとなることはない。
【００３９】
そして、ガイド棒３１の係合部３１ａが図７に示す凹部３２ｃに係合した位置から、図５に示す蓋体部２０が閉じた状態とする際、ガイド棒３１の係合部３１ａを、直線部３２ａへ移動させた後、長凹部３２ｄへ移動させることにより、蓋体部２０が閉じた状態となる。ここで、ガイド棒３１の係合部３１ａを、凹部３２ｃから長凹部３２ｄへ移動させるには、蓋体部２０の自重に逆らって移動させることになることから、蓋体部２０が勝手に閉じた状態となることはなく、作業者の蓋体部２０を閉めようとする意思と、安全性の確認を担保する。また、作業者は、半開位置で開いた状態にある蓋体部２０を、閉じた状態にするには、蓋体部２０を片手で持ちつつ、もう一つの手で上述したように係合部３１ａを移動させる必要があるために、蓋体部２０の開閉作業で負傷するリスクを低減することができる。
【００４０】
また、ストッパ部材３０は、蓋体部２０に連結されたガイド棒３１と、器具本体部１０の隔壁１５に固定されたガイド部材３３とから構成されているが、これに限定されず、蓋体部２０にガイド部材３３を固定し、器具本体部１０にガイド棒３１を連結させた構成としてもよい。
【００４１】
上述した構成の照明器具１００に加えて、器具本体部１０は、図９、及び図１０（ａ）、（ｂ）に示す通り、蓋体部２０との境界に沿った形状に形成された水路４１と、器具本体部１０の後端部１０ｂに、水路４１と連通する傾斜面４２とを有してもよい。また、傾斜面４２は、器具本体部１０の下方、且つ両外側に向けて傾斜している。なお、図９、及び図１０（ａ）、（ｂ）は、水路４１及び傾斜面４２の説明の便宜上、ポール取付部１３、蓋体部２０、ヒンジ部２１、及びストッパ部材３０を省略する。
【００４２】
水路４１は、蓋体部２０との境界に沿った形状に形成されている。水路４１に流入した雨水は、水路４１を通って、傾斜面４２へ流入する。図９、図１０（ａ）、（ｂ）中に示した２点鎖線矢印は、水路４１を通過し、傾斜面４２へ流入する雨水の流れを模式的に示すものである。
【００４３】
傾斜面４２は、器具本体部１０の後端部１０ｂに設けられ、水路４１と連通している。また、傾斜面４２は、器具本体部１０の下方、且つ両外側に向けて傾斜していることから、水路４１から流入した雨水が、器具本体部１０の外側へ向けて排出される。すなわち、雨水が、器具本体部１０の内部に残留することがなく、器具本体部１０の内部の腐食を防止することができる。さらに、傾斜面４２は、器具本体部１０の下方側に拡径している形状であることから、雨水も拡径しながら排出され、雨水の排出スピードを抑制することができる。
【００４４】
器具本体部１０は、水路４１の両側に防水壁４３が形成されている。防水壁４３は水路４１に流入した雨水を器具本体部１０内部への浸入を防止することができる。
【００４５】
本発明に係る照明器具１００は、蓋体部２０が、器具本体部１０に対して、全開位置で開いた状態から、閉じた状態とする際は、ストッパ部材３０を構成するガイド棒３１の係合部３１ａが、ガイド部材３３に形成された凹部３２と係合し、蓋体部２０は、器具本体部１０に対して、半開位置で開いた状態で保持される。蓋体部２０は、全開位置で開いた状態から、直接閉じた状態とはならず、半開位置で開いた状態となることによって、蓋体部２０と器具本体部１０との間に所定の隙間が生じる状態となるため、作業者の手や指が誤って挟まることを回避することができる。なお、蓋体部２０が、全開位置で開いた状態から、直接閉じた状態とはならないため、蓋体部２０が、器具本体部１０と閉じる勢いのまま接触しないため、照明器具１００の各部における破損のリスクを低減できる。
【００４６】
また、本発明に係る照明器具１００は、蓋体部２０が半開位置で開いた状態から、閉じた状態にするには、ガイド棒３１の係合部３１ａが凹部３２ｃに係合した状態から、凹部３２ｃが形成された方向とは逆方向に移動し、長凹部３２ｄに移動する必要ある。このように蓋体部２０が半開位置で開いた状態から閉じた状態にするには、係合部３１ａを移動させる必要があることから、蓋体部２０が勝手に閉じた状態となることはなく、また作業者の手等が偶然に接触したはずみにより蓋体部２０が閉じた状態となることもないことから、照明器具１００の点検、保全作業中の作業者の安全を確保することができる。
【００４７】
さらに、本発明に係る照明器具１００は、蓋体部２０の形状に沿って水路４１が形成されており、水路４１に流入した雨水が、水路４１から傾斜面４２へ流入し、排出される。傾斜面４２が、器具本体部１０の下方、且つ両外側に向けて傾斜していることから、雨水が、器具本体部１０の外側へ向けて排出され、雨水が器具本体部１０内部に残留することがないため、器具本体部１０内部の腐食を回避することができる。また、傾斜面４２は、器具本体部１０の下方側に拡径している形状であることから、雨水も拡径しながら排出されるため、雨水の排出スピードを抑制することができる。さらに、水路４１の両側に防水壁４３が形成されており、防水壁４３によって、水路４１に流入した雨水が器具本体部１０内部への浸入することを防止できる。
【００４８】
〔実施形態の変形例等〕
本明細書開示の発明は、各発明や実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを含み、下記の変形例等も包含する。
【００４９】
本実施形態の照明器具１００の変形例である照明器具１００ａは、図１１、１２を示すように水平に配置させたポール取付部１３１が設けられている。ポール取付部１３１が水平に配置されていることにより、ポール１の上方が円弧状に形成された、若しくは直角状のアーム取付型ポールに対して、取り付けることができる。また、図１２に示すように蓋体部２０ａを全開位置で開いた状態とすることができ、ポール取付部１３１の周囲に、当該ポールへの取付作業の妨げになるものが存在しないため、当該取付作業性は良好である。なお、上述した照明器具１０と共通する構成については、同一符号を付与し、説明を省略する。
【符号の説明】
【００５０】
１…ポール
１０…器具本体部
１０ａ…上面部
１０ｂ…後端部
１１…光源
１２…光源収容部
１２ａ…投光開口部
１３、１３１…ポール取付部
１４…透光板
１５…隔壁
１６…配線用端子部
２０、２０ａ…蓋体部
２１…ヒンジ部
３０…ストッパ部材
３１…ガイド棒
３１ａ…係合部
３２…ガイド案内孔
３２ａ…直線孔
３２ｂ…屈曲部
３２ｃ…凹部
３２ｄ…長凹部
３３…ガイド部材
４１…水路
４２…傾斜面
４３…防水壁
１００、１００ａ…照明器具
【図１】
2019067489.tif 000003
【図２】
2019067489.tif 000004
【図３】
2019067489.tif 000005
【図４】
2019067489.tif 000006
【図５】
2019067489.tif 000007
【図６】
2019067489.tif 000008
【図７】
2019067489.tif 000009
【図８】
2019067489.tif 000010
【図９】
2019067489.tif 000011
【図１０】
2019067489.tif 000012
【図１１】
2019067489.tif 000013
【図１２】
2019067489.tif 000014